(57)【特許請求の範囲】
【請求項１】
第１の出力デバイスの色域及び第２の出力デバイスの色域を超える色を含みうる画像データを受け付ける受付手段と、
前記受付手段により受け付けられた画像データが当該２つの色域を超える色を含む場合に、２つの色域を超える絶対目標色を前記第１の出力デバイスの色域に圧縮する第１のデバイス色域圧縮手段と、
当該絶対目標色を前記第２の出力デバイスの色域に圧縮する第２のデバイス色域圧縮手段と、
当該絶対目標色を前記第１の出力デバイスの色域と前記第２の出力デバイスの色域との共通色域に圧縮する共通色域圧縮手段と、
前記第１のデバイス色域圧縮手段、前記第２のデバイス色域圧縮手段、及び共通色域圧縮手段により圧縮された各色に基づいて、前記絶対目標色を、前記第１の出力デバイスに対しては前記第１の出力デバイスの色域に含まれる目標色に、前記第２の出力デバイスに対しては前記第２の出力デバイスの色域に含まれる目標色に、それぞれ補正するための補正係数を算出する目標色設定手段と
前記受付手段により受け付けられた画像データが当該２つの色域を超える絶対目標色を含む場合に、前記目標色設定手段により算出された補正係数を用いて、前記絶対目標色を、前記第１の出力デバイスに対しては、前記第１の出力デバイスの色域にあって前記第２の出力デバイスの色域にはない色に、前記第２の出力デバイスに対しては、前記第２の出力デバイスの色域にあって前記第１の出力デバイスの色域にはない色に、それぞれ補正する色補正手段と
を有する画像処理システム。
【請求項２】
前記目標色設定手段は、前記第１のデバイス色域圧縮手段により圧縮された色と前記共通色域圧縮手段により圧縮された色との間に前記第１の出力デバイスの目標色を設定し、前記第２のデバイス色域圧縮手段により圧縮された色と前記共通色域圧縮手段により圧縮された色との間に前記第２の出力デバイスの目標色を設定する請求項１に記載の画像処理システム。
【請求項３】
前記第１のデバイス色域圧縮手段は、前記絶対目標色を、前記第１の出力デバイスの色域において前記絶対目標色との色差が最小となる色に圧縮し、
前記第２のデバイス色域圧縮手段は、前記絶対目標色を、前記第２の出力デバイスの色域において前記絶対目標色との色差が最小となる色に圧縮する請求項１または２に記載の画像処理システム。
【請求項４】
前記目標色設定手段は、前記第１の出力デバイスの目標色と前記第２のデバイスの目標色との色差が所定値以下となるような前記補正係数を算出する請求項２または３に記載の画像処理システム。
【請求項５】
前記目標色設定手段は、前記絶対目標色の明度情報に基づいて前記補正係数を算出する請求項２または３に記載の画像処理システム。
【請求項６】
前記目標色設定手段は、前記絶対目標色の明度が高いほど、前記第１の出力デバイスの目標色と前記第２の出力デバイスの目標色が前記共通色域圧縮部により圧縮された色に近づくように前記補正係数を算出する請求項５に記載の画像処理システム。
【請求項７】
前記目標色設定手段は、前記共通色域圧縮部により圧縮された色と前記絶対目標色との間の距離に基づいて前記補正係数を算出する請求項２または３に記載の画像処理システム。
【請求項８】
前記目標色設定手段は、前記共通色域圧縮部により圧縮された色と前記絶対目標色との間の距離が短いほど、前記第１の出力デバイスの目標色と前記第２の出力デバイスの目標色が前記共通色域圧縮部により圧縮された色に近づくように、前記補正係数を算出する請求項７に記載の画像処理システム。
【請求項９】
第１の出力デバイスの色域及び第２の出力デバイスの色域を超える色を含みうる画像データを受け付ける受付ステップと、
２つの色域を超える絶対目標色を前記第１の出力デバイスの色域に圧縮する第１のデバイス色域圧縮ステップと、
当該絶対目標色を前記第２の出力デバイスの色域に圧縮する第２のデバイス色域圧縮ステップと、
当該絶対目標色を前記第１の出力デバイスの色域と前記第２の出力デバイスの色域との共通色域に圧縮する共通色域圧縮ステップと、
前記第１のデバイス色域圧縮ステップ、前記第２のデバイス色域圧縮ステップ、及び共通色域圧縮ステップにおいて圧縮された各色に基づいて、前記絶対目標色を、前記第１の出力デバイスに対しては前記第１の出力デバイスの色域に含まれる目標色に、前記第２の出力デバイスに対しては前記第２の出力デバイスの色域に含まれる目標色に、それぞれ補正するための補正係数を算出するステップと
前記受付ステップにおいて受け付けられた画像データが当該２つの色域を超える絶対目標色を含む場合に、前記目標色設定手段により算出された補正係数を用いて、前記絶対目標色を、前記第１の出力デバイスに対しては、前記第１の出力デバイスの色域にあって前記第２の出力デバイスの色域にはない色に、前記第２の出力デバイスに対しては、前記第２の出力デバイスの色域にあって前記第１の出力デバイスの色域にはない色に、それぞれ補正する色補正ステップと、
を有する画像処理方法。
【請求項１０】
コンピュータを含む画像処理システムにおいて、
第１の出力デバイスの色域及び第２の出力デバイスの色域を超える色を含みうる画像データを受け付ける受付ステップと、
２つの色域を超える絶対目標色を前記第１の出力デバイスの色域に圧縮する第１のデバイス色域圧縮ステップと、
当該絶対目標色を前記第２の出力デバイスの色域に圧縮する第２のデバイス色域圧縮ステップと、
当該絶対目標色を前記第１の出力デバイスの色域と前記第２の出力デバイスの色域との共通色域に圧縮する共通色域圧縮ステップと、
前記第１のデバイス色域圧縮ステップ、前記第２のデバイス色域圧縮ステップ、及び共通色域圧縮ステップにおいて圧縮された各色に基づいて、前記絶対目標色を、前記第１の出力デバイスに対しては前記第１の出力デバイスの色域に含まれる目標色に、前記第２の出力デバイスに対しては前記第２の出力デバイスの色域に含まれる目標色に、それぞれ補正するための補正係数を算出するステップと
前記受付ステップにおいて受け付けられた画像データが当該２つの色域を超える絶対目標色を含む場合に、前記目標色設定手段により算出された補正係数を用いて、前記絶対目標色を、前記第１の出力デバイスに対しては、前記第１の出力デバイスの色域にあって前記第２の出力デバイスの色域にはない色に、前記第２の出力デバイスに対しては、前記第２の出力デバイスの色域にあって前記第１の出力デバイスの色域にはない色に、それぞれ補正する色補正ステップと、
を前記画像処理システムのコンピュータに実行させるプログラム。
【発明の詳細な説明】
【技術分野】
【０００１】
本発明は、プリンタ、複写機等において用いられる画像処理装置及び画像処理方法に関する。
【背景技術】
【０００２】
現在、複数のデバイスにおいてキャリブレーション、色校正等を行う場合には、共通色域を使用する方法が用いられる。この方法は、特にディスプレイとプリンタといった異種デバイスでの色補正を行う際に使用されたり、単体の例えば複数の同機種プリンタ、スキャナのキャリブレーション技術として使用される。共通色域を使用するメリットとして、色再現が対象デバイス間の共通する色域のみで行われるので、同一の色味としての色一致が高精度に再現することが挙げられる。
【０００３】
特許文献１では、複数のデバイスの共通色域内のみでの色補正処理方法が開示されている。
特許文献２では、第１のデバイスの画像情報に対しプロファイルを用いてデバイス非依存の空間へ変換し、それを複数のデバイスの共通色域へマッピングを施し、最後に第２のデバイスのプロファイルを用いて第２のデバイス用の画像データを得る方法が開示されている。
また、特許文献３では、異なる色域をもつデバイス間で、共通するそれぞれの色相角を求め、その色相角情報を基に色域圧縮によるカラーマッチングを施す方法が開示されている。
【０００４】
しかしながら、共通の色域のみで色補正が行われるので、再現色域が対象デバイスによっては従来の再現範囲に比べ、極端に狭く構成されることがあり、再現色に不具合が生じる問題点がある。
【０００５】
【特許文献１】特開２００３−６０９２５号公報
【特許文献２】特開平１０−７９８６５号公報
【特許文献３】特開２００４−１５３３３６号公報
【発明の開示】
【発明が解決しようとする課題】
【０００６】
本発明は、上述した背景からなされたものであり、対象デバイスの色一致性を確保した上で、当該対象デバイスの再現色域を十分確保できる画像処理システムを提供することを目的とする。
【課題を解決するための手段】
【０００７】
上記目的を達成するために、本発明に係る画像処理システムは、第１のデバイスの色域及び第２のデバイスの色域を超える色を含みうる画像データを受け付ける受付手段と、前記受付手段により受け付けられた画像データが当該２つの色域を超える色を含む場合に、第１のデバイスに対しては、第１のデバイスの色域にあって第２のデバイスの色域にはない色に、第２のデバイスに対しては、第２のデバイスの色域にあって第１のデバイスの色域にはない色に、それぞれ当該色を補正する色補正手段とを有する。
【０００８】
好適には、前記色補正手段は、２つの色域を超える色を、第１のデバイスに対しては第１のデバイスの色域の外郭上の色に、第２のデバイスに対しては第２のデバイスの色域の外郭上の色に、それぞれ補正する。
好適には、前記色補正手段は、２つの色域を超える色に基づいて算出された補正係数を用いて色補正を行う。
【０００９】
好適には、２つの色域を超える色を、第１のデバイスに対しては第１のデバイスの色域に含まれる色に、第２のデバイスに対しては第２のデバイスに含まれる色に、それぞれ補正する補正係数を算出する補正係数算出手段をさらに有する。
【００１０】
好適には、前記補正係数算出手段は、２つの色域を超える絶対目標色を第１のデバイス色域に圧縮する第１のデバイス色域圧縮手段と、当該絶対目標色を第２のデバイス色域に圧縮する第２のデバイス色域圧縮手段と、当該絶対目標色を第１のデバイス色域と第２のデバイス色域との共通色域に圧縮する共通色域圧縮手段と、前記第１のデバイス色域圧縮手段、前記第２のデバイス色域圧縮手段、及び共通色域圧縮手段により圧縮された色に基づいて、第１のデバイス及び第２のデバイスの目標色を設定する目標色設定手段とを有する。
【００１１】
好適には、前記目標色設定手段は、前記第１のデバイス色域圧縮手段により圧縮された色と前記共通色域圧縮手段により圧縮された色との間に第１のデバイスの目標色を設定し、前記第２のデバイス色域圧縮手段により圧縮された色と前記共通色域圧縮手段により圧縮された色との間に第２のデバイスの目標色を設定する。
好適には、前記目標色設定手段は、第１のデバイスの目標色と第２のデバイスの目標色とに応じて補正係数を算出する。
【００１２】
好適には、前記目標色設定手段は、第１のデバイスの目標色と第２のデバイスの目標色との色差に基づいて補正係数を算出する。
好適には、前記目標色設定手段は、この色差が所定値以下となるように補正係数を算出する。
【００１３】
好適には、前記目標色設定手段は、絶対目標色の明度情報に基づいて補正係数を算出する。
好適には、前記目標色設定手段は、絶対目標色の明度が高いほど、絶対目標色に対応する目標色が前記共通色域圧縮部により圧縮された色に近づくように、補正係数を算出する。
【００１４】
好適には、前記目標色設定手段は、前記共通色域圧縮部により圧縮された色と、絶対目標色との間の距離に基づいて補正係数を算出する。
好適には、前記目標色設定手段は、距離が小さいほど、絶対目標色に対応する目標色が前記共通色域圧縮部により圧縮された色に近づくように、補正係数を算出する。
【００１５】
また、本発明に係る画像処理方法は、第１のデバイスの色域及び第２のデバイスの色域を超える色を含みうる画像データを受け付け、前記受け付けられた画像データが当該２つの色域を超える色を含む場合に、第１のデバイスに対しては、第１のデバイスの色域にあって第２のデバイスの色域にはない色に、第２のデバイスに対しては、第２のデバイスの色域にあって第１のデバイスの色域にはない色に、それぞれ当該色を補正する。
【００１６】
さらに、本発明に係るプログラムは、コンピュータを含む画像処理システムにおいて、第１のデバイスの色域及び第２のデバイスの色域を超える色を含みうる画像データを受け付ける受付ステップと、前記受け付けられた画像データが当該２つの色域を超える色を含む場合に、第１のデバイスに対しては、第１のデバイスの色域にあって第２のデバイスの色域にはない色に、第２のデバイスに対しては、第２のデバイスの色域にあって第１のデバイスの色域にはない色に、それぞれ当該色を補正する色補正ステップとを前記画像処理システムのコンピュータに実行させる。
【発明の効果】
【００１７】
本発明にかかる画像処理システムによれば、対象デバイスの色一致性を確保した上で、当該対象デバイスの再現色域を十分確保できる。
【発明を実施するための最良の形態】
【００１８】
本発明の第１の実施形態について説明する。
図１において、本発明の実施形態に係る画像処理システム１が示されている。画像処理システム１は、パーソナルコンピュータ（ＰＣ）などの画像処理装置２がネットワーク３を介して複数の画像形成装置１０−１，１０−２，…，１０−ｎに接続されることにより構成される。画像処理装置２は、例えばＭＣＵ（Micro Controller Unit）などの制御装置、タッチパネルなどの入出力装置、及びネットワーク３を介して信号を送受信する通信装置を有するＰＣ以外の端末であってもよい。ネットワーク３は、有線であってもよいし、無線であってもよい。また、複数の画像処理装置２がネットワーク３に接続されていてもよい。
このように、画像処理システム１は、画像処理装置２がネットワーク３を介して画像形成装置１０を制御することができるようにされている。
なお、画像形成装置１０−１〜１０−ｎなど、複数ある構成部分のいずれかを特定せずに示すときには、単に画像形成装置１０などと略記することがある。
【００１９】
図２は、画像処理装置２のハードウェア構成を例示する図である。
図２に示すように、画像処理装置２は、ＣＰＵ１４及びメモリ１６などを含む制御装置１２、ＬＣＤ表示装置あるいはＣＲＴ表示装置及びキーボード・タッチパネルなどを含む表示・入力装置１８、通信装置２０及びＨＤＤ・ＣＤ装置などの記録装置２２などから構成される。
【００２０】
図３は、画像処理装置２により行われる目標色の設定方法を説明する図であって、図３（Ａ）は、絶対目標色（絶対目標値）と、第１のデバイスの色域Ｍ１及び第２のデバイスの色域Ｍ２との関係を示し、図３（Ｂ）は、図３（Ａ）の実線で囲まれた領域の詳細を示す。
図３（Ａ）に示すように、絶対目標色は、第１のデバイスの色域Ｍ１及び第２のデバイスの色域Ｍ２を超える色である。
【００２１】
まず、絶対目標色に対して、点ＡＭ１が色域Ｍ１において選択され、点ＡＭ２が色域Ｍ２において選択される。このマッピングは、例えば一般的な色差最小マッピングにより行われる。
次に、色域Ｍ１と色域Ｍ２とに共通する共通色域が求められ、点Ｂが、色差最少マッピングにより絶対目標色に対して求められる。
【００２２】
次に、図３（Ｂ）に示すように、点Ｃが、媒介変数（補正係数）をαとして、次式を用いて点ＡＭ１と点Ｂとの線分上に求められる。
【００２３】
Ｃ＝α・ＡＭ１＋（１．０−α）・Ｂ  …（１）
【００２４】
ここで、Ｃ、ＡＭ１及びＢはベクトルであり、媒介変数αは０≦α≦１．０を満たす実数である。このため、点Ｃは、第１のデバイスの色域Ｍ１であって第２のデバイスの色域Ｍ２ではない色域に含まれ、第１のデバイスの色域Ｍ１の外郭上に存在する。
【００２５】
また、点Ｄは、媒介変数をαとして、次式を用いて点ＡＭ２と点Ｂとの線分上に求められる。
【００２６】
Ｄ＝α・ＡＭ２＋（１．０−α）・Ｂ  …（２）
【００２７】
ここで、Ｄ、ＡＭ２及びＢはベクトルである。このため、点Ｄは、第２のデバイスの色域Ｍ２であって第１のデバイスの色域Ｍ１ではない色域に含まれ、第２のデバイスの色域Ｍ２の外郭上に存在する。
【００２８】
媒介変数αは、点Ｃと点Ｄとの間の距離が所定値以下となるように決定される。例えば、媒介変数αは、ＣＩＥ−Ｌａｂ空間において点Ｃと点Ｄとの色差ΔＥに基づいて決定される。ここで、媒介変数αは、例えば色差ΔＥがΔＥ≦３．０を満たすように決定される。
【００２９】
媒介変数αが求められることにより、点Ｃが第１のデバイスに対して設定され、点Ｄが第２のデバイスに対して設定される。これにより、絶対目標色は、第１のデバイスに対しては、第１のデバイスの色域Ｍ１にあって第２のデバイスの色域Ｍ２にはない点Ｃとして、第２のデバイスに対しては、第２のデバイスの色域Ｍ２にあって第１のデバイスの色域Ｍ１にはない点Ｄとして、それぞれ補正される。
このようにして、２つのデバイスにおいて再現可能な色範囲が十分に考慮された上で、それぞれのデバイスに対する色変換目標値が求められる。
【００３０】
図４は、制御装置１２により実行され、本発明に係る画像処理方法を実現する画像処理プログラム２００の構成を例示する図である。
図４に示すように、画像処理プログラム２００は、受付部２０２、色補正部２０４、送信部２０６及び補正係数算出部２２０を有し、補正係数算出部２２０は、第１のデバイス色域生成部２０８−１、第２のデバイス色域生成部２０８−２、共通色域生成部２１０、第１のデバイス色域圧縮部２１２−１、第２のデバイス色域圧縮部２１２−２、共通色域圧縮部２１４、目標色設定部２１６及びデバイス情報記憶部２１８を有する。
【００３１】
画像処理プログラム２００は、例えば、プリンタドライバとして、記録媒体２４（図２）又はネットワーク３（図１）を介して制御装置１２に供給され、メモリ１６にロードされて実行される。
なお、画像処理プログラム２００は、画像処理装置２のみでなく、画像形成装置１０などで実行されてもよく、ＣＰＵ、メモリ及びプログラムなどによりソフトウェア的に実現されてもよいし、ＡＳＩＣなどによりハードウェア的に実現されてもよい。
【００３２】
画像処理プログラム２００において、受付部２０２は、ユーザが表示・入力装置１８を介して印刷要求を行うことにより、記録装置２２又は通信装置２０から入力画像データを受け付けて、色補正部２０４に対して出力する。また、受付部２０２は、出力対象である複数の出力デバイス情報及び入力画像を、補正係数算出部２２０に対して出力する。出力デバイス（画像形成装置１０）は、ユーザにより複数指定されてもよいし、負荷分散等のための所定の手法により複数選定されてもよい。なお、本例では、入力画像は２つの画像形成装置１０−１，１０−２に対して出力されるが、画像形成装置１０の数は本例に限定されない。
【００３３】
色補正部２０４は、受付部２０２により受け付けられた入力画像が、当該２つの画像形成装置１０−１，１０−２の色域を超える色を含む場合に、第１のデバイス（画像形成装置１０−１）に対しては、第１のデバイスの色域にあって第２のデバイス（画像形成装置１０−２）の色域にはない色に、第２のデバイスに対しては、第２のデバイスの色域にあって第１のデバイスの色域にはない色に、それぞれ当該色を補正する。色補正部２０４は、画像形成装置１０−１のために色補正された第１の出力画像データ、及び画像形成装置１０−２のために色補正された第２の出力画像データを、送信部２０６に対して出力する。
【００３４】
より具体的には、色補正部２０４は、２つの色域を超える色（図３の絶対目標値）を、画像形成装置１０−１に対しては第１のデバイスの色域の外郭上の色（図３の点Ｃ）に、画像形成装置１０−２に対しては第２のデバイスの色域の外郭上の色（図３の点Ｄ）に、それぞれ補正する。ここで、色補正部２０４は、後述する補正係数算出部２２０により算出された補正係数を用いて色補正を行う。
【００３５】
送信部２０６は、色補正部２０４から入力された第１の出力画像データを画像形成装置１０−１に対して、第２の出力画像データを画像形成装置１０−２に対して、それぞれ送信する。
【００３６】
画像処理プログラム２００において、補正係数算出部２２０は、２つの色域を超える色を、画像形成装置１０−１に対しては画像形成装置１０−１の色域に含まれる色に補正し、画像形成装置１０−２に対しては画像形成装置１０−２に含まれる色に補正する補正係数を算出する。補正係数算出部２２０は、出力デバイス情報及び入力画像に基づいて補正係数を算出し、特に、出力デバイスの色域に基づいて補正係数を算出する。補正係数算出部２２０は、出力デバイスの色域に関する情報を受付部２０２から入力してもよいし、予め記憶しておいてもよい。
【００３７】
補正係数算出部２２０において、デバイス情報記憶部２１８は、複数の画像形成装置１０−１〜１０−ｎの色域に関する情報を記憶する。デバイス情報記憶部２１８は、デバイスに依存する色空間（例えば、印刷処理に適した表色系であるＹＭＣＫ色空間）において再現可能である色域を記憶してもよいし、デバイスに依存しない色空間（例えば、ＣＩＥ−ＬＡＢ）の形式で色域を記憶してもよい。デバイス情報記憶部２１８は、記録装置２２又はメモリ１６により実現される。
【００３８】
第１のデバイス色域生成部２０８−１は、デバイス情報記憶部２１８に記憶されている画像形成装置１０−１の色域に関する情報を参照して、画像形成装置１０−１の色再現可能領域（色域）の外郭を生成する。第１のデバイス色域生成部２０８−１は、例えばＣＩＥ−ＬＡＢ色空間において当該外郭を生成する。なお、色空間は、ＣＩＥ−ＬＡＢ色空間に限定されず、第１のデバイス色域生成部２０８−１は、デバイス情報記憶部２１８に記憶されている色域情報を所定の色空間に変換して用いてもよい。
【００３９】
第２のデバイス色域生成部２０８−２は、第１のデバイス色域生成部２０８−１と同様にして、画像形成装置１０−２の色域の外郭を生成する。
共通色域生成部２１０は、画像形成装置１０−１，１０−２の双方が色再現可能な領域（色域）の外郭を生成する。なお、当該領域は、共通領域とも称される。
【００４０】
第１のデバイス色域圧縮部２１２−１は、受付部２０２から入力された入力画像において画像形成装置１０−１，１０−２の色域を超える色を、第１のデバイス色域生成部２０８−１により生成された画像形成装置１０−１の色域に圧縮する。より具体的には、第１のデバイス色域圧縮部２１２−１は、ＣＩＥ−ＬＡＢ色空間において色差最小マッピングを適用して、当該色を画像形成装置１０−１の色域に変換する（図３（Ａ）の点ＡＭ１）。
【００４１】
第２のデバイス色域圧縮部２１２−２は、第１のデバイス色域圧縮部２１２−１と同様にして、第２のデバイス色域生成部２０８−２により生成された画像形成装置１０−２の色域に当該色を圧縮する（図３（Ａ）の点ＡＭ２）。
共通色域圧縮部２１４もまた、同様にして、共通色域生成部２１０により生成された共通領域に当該色を圧縮する（図３（Ａ）の点Ｂ）。
【００４２】
目標色設定部２１６は、第１のデバイス色域圧縮部２１２−１、第２のデバイス色域圧縮部２１２−２、及び共通色域圧縮部２１４により圧縮された色に基づいて、画像形成装置１０−１，１０−２の色域を超える色に対して画像形成装置１０−１，１０−２の目標色（図３（Ｂ）のＣ及びＤ）を設定して、補正係数（図３（Ｂ）の媒介変数α）を算出する。目標色設定部２１６は、画像形成装置１０−１の目標色と画像形成装置１０−２の目標色との色差ΔＥに基づいて補正係数を算出する。
【００４３】
特に、目標色設定部２１６は、この色差ΔＥが所定値以下となるように補正係数を算出する。例えば、目標色設定部２１６は、画像形成装置１０−１，１０−２の目標色の色差ΔＥが３．０以下となるように、それぞれの目標色を設定して補正係数を算出する。このため、補正係数が決定されると、それぞれの目標色は一意に定まる。目標色設定部２１６は、算出された補正係数を色補正部２０４に対して出力する。
【００４４】
図５は、画像処理装置２の全体動作（Ｓ１０）を示すフローチャートである。
図５に示すように、ステップ１００（Ｓ１００）において、ユーザが、画像処理装置２を用いて、複数の画像形成装置１０−１，１０−２を出力デバイスとして、画像の印刷要求を行う。画像処理装置２において、画像処理プログラム２００の受付部２０２は、入力画像を受け付け、入力画像を色補正部２０４に対して出力し、出力デバイスが画像形成装置１０−１，１０−２である旨とともに、入力画像を補正係数算出部２２０に対して出力する。
【００４５】
補正係数算出部２２０において、第１のデバイス色域生成部２０８−１は、デバイス情報記憶部２１８に記憶されている画像形成装置１０−１の色域に関する情報を参照して、画像形成装置１０−１の色域の外郭を生成して、第１のデバイス色域圧縮部２１２−１に対して出力する。
【００４６】
ステップ１０２（Ｓ１０２）において、第２のデバイス色域生成部２０８−２は、画像形成装置１０−２の色域に関する情報を参照して、画像形成装置１０−２の色域の外郭を生成して、第２のデバイス色域圧縮部２１２−２に対して出力する。
ステップ１０４（Ｓ１０４）において、共通色域生成部２１０は、画像形成装置１０−１，１０−２の色域に関する情報を参照して、これらの色域の共通色域の外郭を生成して、共通色域圧縮部２１４に対して出力する。
【００４７】
ステップ１０６（Ｓ１０６）において、第１のデバイス色域圧縮部２１２−１は、入力画像において画像形成装置１０−１，１０−２の色域を超える色を、色差最小マッピングにより画像形成装置１０−１の色域に圧縮する（図３（Ａ）の点ＡＭ１）。
ステップ１０８（Ｓ１０８）において、第２のデバイス色域圧縮部２１２−２は、当該色を画像形成装置１０−２の色域に圧縮する（図３（Ａ）の点ＡＭ２）。
ステップ１１０（Ｓ１１０）において、共通色域圧縮部２１４は、当該色を共通領域に圧縮する（図３（Ａ）の点Ｂ）。
【００４８】
ステップ１１２（Ｓ１１２）において、目標色設定部２１６は、画像形成装置１０−１の目標色（図３（Ｂ）の点Ｃ）と画像形成装置１０−２の目標色（図３（Ｂ）の点Ｄ）との色差ΔＥが所定値以下となるように、それぞれの色域の外郭上に当該目標色を設定し、補正係数を算出する。目標色設定部２１６は、算出された目標色を色補正部２０４に対して出力する。
【００４９】
ステップ１１４（Ｓ１１４）において、色補正部２０４は、算出された補正係数を用いて、画像形成装置１０−１に対しては、画像形成装置１０−１のために色補正処理を行って第１の出力画像データを生成し、画像形成装置１０−２に対しては、画像形成装置１０−２のために色補正処理を行って第２の出力画像データを生成する。色補正部２０４は、生成された出力画像データを送信部２０６に対して出力する。
【００５０】
ステップ１１６（Ｓ１１６）において、送信部２０６は、第１の出力画像データを画像形成装置１０−１に対して、第２の出力画像データを画像形成装置１０−２に対して、それぞれ送信する。
そして、画像形成装置１０−１においては、第１の出力画像データに基づいて、画像が記録用紙に形成され、画像形成装置１０−２においては、第２の出力画像データに基づいて、画像が記録用紙に形成される。
【００５１】
以上説明したように、本発明の実施形態に係る画像処理システム１は、第１のデバイス（画像形成装置１０−１）の色域及び第２のデバイス（画像形成装置１０−２）の色域を超える色を含みうる画像データを受け付け、この画像データが当該２つの色域を超える色を含む場合に、第１のデバイスに対しては、第１のデバイスの色域にあって第２のデバイスの色域にはない色に、第２のデバイスに対しては、第２のデバイスの色域にあって第１のデバイスの色域にはない色に、それぞれ当該色を補正するので、対象デバイスの色一致性を確保した上で、当該対象デバイスの再現色域を十分確保できる。
【００５２】
画像処理システム１は、２つの色域を超える色を、第１のデバイスに対しては第１のデバイスの色域の外郭上の色に、第２のデバイスに対しては第２のデバイスの色域の外郭上の色に、それぞれ補正する。また、画像処理システム１は、２つの色域を超える色に基づいて算出された補正係数を用いて色補正を行う。このため、画像処理システム１は、色域の外郭上において、出力対象デバイスの色域及び共通色域方向に対する度合いを、補正係数を用いて柔軟に設定できる。
さらに、画像処理システム１は、第１のデバイスの目標色と第２のデバイスの目標色との色差に基づいて補正係数を算出し、特に、この色差が所定値以下となるように補正係数を算出するので、複数の出力対象デバイス間の色一致性を効果的に確保することができる。
【００５３】
次に、本発明の第２の実施形態に係る画像処理システム１を説明する。
図６は、画像処理装置２により行われる目標色の設定方法を説明する図であって、図６（Ａ）は、第１のデバイスの色域Ｍ１及び第２のデバイスの色域Ｍ２と、それぞれのデバイスの目標色Ｃ，Ｄとの関係を示し、図６（Ｂ）は、絶対目標色の明度と補正係数との関係を示す。本実施形態に係る画像処理装置２は、絶対目標色の明度に応じて補正係数を決定する点で、第１の実施形態と異なる。
【００５４】
図６（Ａ）に示すように、第１のデバイスの目標色Ｃ、及び第２のデバイスの目標色Ｄは、媒介変数（補正係数）をαとして、点ＡＭ１と点Ｂとの線分上、及び点ＡＭ２と点Ｂとの線分上に求められる。
図６（Ｂ）に示すように、補正係数αは、第１のデバイスの色域及び第２のデバイスの色域を超える色（絶対目標色）の明度情報に基づいて算出される。特に、補正係数αは、絶対目標色の明度が高いほど小さくなる。つまり、絶対目標色の明度が高いほど、第１のデバイスの目標色Ｃ、及び第２のデバイスの目標色Ｄは、共通色域に圧縮された色Ｂに近づく。
【００５５】
本実施形態の画像処理プログラム２００において、目標色設定部２１６は、図６（Ｂ）に示すように、入力画像において出力対象の画像形成装置１０−１，１０−２の色域を超える色の明度情報に基づいて、補正係数を算出する。このとき、目標色設定部２１６は、図６（Ｂ）に示される単調減少関数Ｆを用いて、補正係数αを算出する。
【００５６】
以上説明したように、本実施形態に係る画像処理システム１は、絶対目標色の明度情報に基づいて補正係数を算出する。特に、画像処理システム１は、絶対目標色の明度が高いほど、絶対目標色に対応する目標色が共通色域に圧縮された色に近づくように、補正係数を算出する。このため、絶対目標色が低明度である場合には、デバイスの色再現範囲がより重視されるので、入力画像の暗い画像部分においても、色つぶれの少ないより目標に忠実な再現が行われることができる。また、絶対目標色が高明度である場合には、２つのデバイスにおいて共通する色再現範囲がより重視されるので、入力画像の明るい画像部分においては、色一致度の高い色再現が可能となる。
【００５７】
次に、本発明の第３の実施形態に係る画像処理システム１を説明する。
図７は、画像処理装置２により行われる目標色の設定方法を説明する図であって、図７（Ａ）は、絶対目標色と、この絶対目標色が共通領域に圧縮された点Ｂとの関係を示し、図７（Ｂ）は、絶対目標色と点Ｂとの差と、補正係数との関係を示す。本実施形態に係る画像処理装置２は、絶対目標色と共通領域に圧縮された点Ｂとの差に応じて補正係数を決定する点で、第１の実施形態と異なる。
【００５８】
図７（Ａ）に示すように、絶対目標色と、この絶対目標色が第１のデバイスの色域Ｍ１と第２のデバイスの色域Ｍ２との共通領域に圧縮された点Ｂとの差は、色差距離ｄで表される。
図７（Ｂ）に示すように、補正係数αは、共通色域に圧縮された色（点Ｂ）と、絶対目標色との間の距離（ｄ）に基づいて算出される。特に、補正係数は、距離ｄが小さいほど、絶対目標色に対応する目標色が共通色域に圧縮された色（点Ｂ）に近づくように算出される。
【００５９】
本実施形態の画像処理プログラム２００において、目標色設定部２１６は、図７（Ｂ）に示すように、入力画像において出力対象の画像形成装置１０−１，１０−２の色域を超える色と、この色が共通領域に圧縮された色との距離ｄに基づいて、補正係数を算出する。このとき、目標色設定部２１６は、図７（Ｂ）に示される単調増加関数Ｆを用いて、補正係数αを算出する。
【００６０】
以上説明したように、本実施形態に係る画像処理システム１は、共通色域に圧縮された色と、絶対目標色との間の距離に基づいて補正係数を算出する。特に、画像処理システム１は、距離ｄが小さいほど、絶対目標色に対応する目標色が共通色域に圧縮された色に近づくように補正係数を算出する。このため、距離ｄが大きい場合には、出力対象のデバイスの色再現範囲をより重視するので、色再現範囲が極端に狭くなることを防止し、絶対目標色に近い忠実な再現が可能となる。一方、距離ｄが小さい場合には、デバイス間の色の出力差が抑えられるので、色一致度の高い色再現が可能となる。
【００６１】
また、目標色設定部２１６は、絶対目標色と当該絶対目標色が第１のデバイスの色域に圧縮された色（点ＡＭ１）との距離に基づいて、第１のデバイスに対する補正係数αを算出し、絶対目標色と当該絶対目標色が第２のデバイスの色域に圧縮された色（点ＡＭ２）との距離に基づいて、第２のデバイスに対する補正係数βを算出してもよい。この場合には、画像処理システム１は、他方のデバイスの色域に影響されにくい色補正を行うことができる。
例えば、第１のデバイスの色域Ｍ１が、第２のデバイスの色域Ｍ２に包含されている場合、共通色域は第１のデバイスの色域Ｍ１と同一になる。この場合、補正係数αを用いて点Ｃが算出され、補正係数βを用いて点Ｄが算出されるので、点Ｄは、第２のデバイスの色域Ｍ２を有効に活用した領域に設定されることができる。
【図面の簡単な説明】
【００６２】
【図１】本発明の実施形態に係る画像処理システム１を示す。
【図２】画像処理装置２のハードウェア構成を例示する図である。
【図３】第１の実施形態に係る画像処理装置２により行われる目標色の設定方法を説明する図であって、図３（Ａ）は、絶対目標色と、第１のデバイスの色域Ｍ１及び第２のデバイスの色域Ｍ２との関係を示し、図３（Ｂ）は、図３（Ａ）の実線で囲まれた領域の詳細を示す。
【図４】制御装置１２により実行され、本発明に係る画像処理方法を実現する画像処理プログラム２００の構成を例示する図である。
【図５】画像処理装置２の全体動作（Ｓ１０）を示すフローチャートである。
【図６】第２の実施形態に係る画像処理装置２により行われる目標色の設定方法を説明する図であって、図６（Ａ）は、第１のデバイスの色域Ｍ１及び第２のデバイスの色域Ｍ２と、それぞれのデバイスの目標色Ｃ，Ｄとの関係を示し、図６（Ｂ）は、絶対目標色の明度と補正係数との関係を示す。
【図７】第３の実施形態に係る画像処理装置２により行われる目標色の設定方法を説明する図であって、図７（Ａ）は、絶対目標色と、この絶対目標色が共通領域に圧縮された点Ｂとの関係を示し、図７（Ｂ）は、絶対目標色と点Ｂとの差と、補正係数との関係を示す。
【符号の説明】
【００６３】
１ 画像処理システム
２ 画像処理装置
３ ネットワーク
１０ 画像形成装置
１２ 制御装置
１４ ＣＰＵ
１６ メモリ
１８ 表示・入力装置
２０ 通信装置
２２ 記録装置
２４ 記録媒体
２００ 画像処理プログラム
２０２ 受付部
２０４ 色補正部
２０６ 送信部
２０８−１  第１のデバイス色域生成部
２０８−２  第２のデバイス色域生成部
２１０ 共通色域生成部
２１２−１  第１のデバイス色域圧縮部
２１２−２  第２のデバイス色域圧縮部
２１４ 共通色域圧縮部
２１６ 目標色設定部
２１８ デバイス情報記憶部
２２０ 補正係数算出部
【図１】
0004534252.tif 000002
【図２】
0004534252.tif 000003
【図３】
0004534252.tif 000004
【図４】
0004534252.tif 000005
【図５】
0004534252.tif 000006
【図６】
0004534252.tif 000007
【図７】
0004534252.tif 000008